(57)【特許請求の範囲】
【請求項１】
４方向又は８方向に傾けられる操作に対応して第１の機能を制御する制御信号を発生するとともに、プッシュ操作に対応して第２の機能を制御する制御信号を発生する第１の操作手段と、
円弧状の回転操作に対応して第３の機能を制御する制御信号を発生する第２の操作手段と、
前後の移動操作に対応して第４の機能を制御する制御信号を発生するとともに、プッシュ操作に対応して第５の機能を制御する制御信号を発生する第３の操作手段と、
を備え、
ＧＵＩモード実行時には、前記第１の操作手段から発生される制御信号によりＧＵＩ画面上のフレーム移動操作が制御され、前記第２の操作手段から発生される制御信号により同一のＧＵＩ画面上のフレーム内の項目選択操作が制御され、前記第３の操作手段から発生される制御信号により同一のＧＵＩ画面のページ送り操作が制御され、
再生制御モード実行時には、通常再生状態においてプッシュ操作に対応して前記第３の操作手段から発生される制御信号により再生一時停止が制御され、再生一時停止状態において円弧状の回転操作に対応して前記第２の操作手段から発生される制御信号によりコマ送り又はコマ戻しが制御され、再生一時停止状態においてプッシュ操作に対応して前記第３の操作手段から発生される制御信号により再生一時停止解除が制御され、通常再生状態において前後の移動操作に対応して前記第３の操作手段から発生される制御信号により早送り又は早戻しが制御される、
ことを特徴とするマルチコントローラ。
【請求項２】
前記第１及び第２の操作手段が同心円状に配置されるとともに、この同心円の中心から所定距離に前記第３の操作手段が配置され、前記第１の操作手段を操作できるように、前記第１の操作手段に対して親指の位置をあわせてリモコンを握ると、握りかえることなく同じ親指だけで前記第１、第２、第３の操作手段を操作可能に構成されたことを特徴とする請求項１に記載のマルチコントローラ。
【発明の詳細な説明】
【０００１】
【発明の属する技術分野】
この発明は、映画等を録画したり再生したりする記録再生装置に対して各種制御信号を送りこの記録再生装置を制御するマルチコントローラに関する。
【０００２】
【従来の技術】
近年、ＤＶＤ（Digital versatile Disk）に関する研究開発及び製品化が急速に進められている。これに伴い、ＤＶＤに対して映画等の情報を記録したり、ＤＶＤに録された映画等の情報を再生したりするＤＶＤ対応の記録再生装置の研究開発及び製品化も進められている。ＤＶＤ対応の記録再生装置は、ＤＶＤの特性を生かした様々な再生処理及び記録処理を行なうことができるようになっている。また、ＤＶＤ対応の記録再生装置は、操作性の向上を図るため、ＧＵＩ（グラフィックユーザインターフェース）機能を搭載しており、画面に表示されるグラフィックを介して各種操作を指示入力することができるようになっている。
【０００３】
【発明が解決しようとする課題】
上記した記録再生装置を制御する制御装置としてリモコンが知られている。しかしながら、機能の増加とともに、リモコン上の操作ボタンも増加する傾向にあり、ユーザーにとって決して分かりやすい操作でなくなってきている。
【０００４】
特に、上記したようなＤＶＤ対応の記録再生装置の場合、通常の記録再生操作だけでなく、ＧＵＩ機能に対応して画面に表示されるグラフィックを介した入力操作も必要となり、ますますリモコン上の操作ボタンが複雑化してしまう。
【０００５】
例えば、記録再生動作に対応した操作部と、ＧＵＩ機能に対応した操作部とを分散配置する手法も考えられるが、記録再生操作とＧＵＩ機能に対応した操作とを並行させなければならない場合には、極めて不便となってしまう。
【０００６】
この発明の目的は、上記したような事情に鑑み成されたものであって、操作性に優れたマルチコントローラを提供することにある。特に、記録再生装置及びＧＵＩ機能に対応し、操作性に優れたマルチコントローラを提供することにある。
【０００７】
【課題を解決するための手段】
上記課題を解決し目的を達成するために、この発明のマルチコントローラは、以下のように構成されている。
【０００８】
この発明のマルチコントローラは、４方向又は８方向に傾けられる操作に対応して第１の機能を制御する制御信号を発生するとともに、プッシュ操作に対応して第２の機能を制御する制御信号を発生する第１の操作手段（カーソルキーを想定）と、円弧状の回転操作に対応して第３の機能を制御する制御信号を発生する第２の操作手段（ダイヤルキーを想定）と、前後の移動操作に対応して第４の機能を制御する制御信号を発生するとともに、プッシュ操作に対応して第５の機能を制御する制御信号を発生する第３の操作手段（レバーキーを想定）とを備えている。
【０００９】
【発明の実施の形態】
以下、この発明の実施の形態について図面を参照して説明する。
【００１０】
図１は、この発明の記録再生装置の一例を示すブロック図である。図１の各ブロックを大きく分けると、左側には記録部の主なブロックを示し、右側には再生部の主なブロックを示している。この図１の各部のブロックについては後で詳しく説明する。
【００１１】
図２は、ＤＶＤシステムのディレクトリー構造の一部を示す図である。図２は、ＤＶＤシステムの特にリアルタイムレコーディング（ＲＴＲ）ＤＶＤのディレクトリー構造とＤＶＤオーディオファイルのディレクトリー構造について示している。
【００１２】
ＤＶＤでは、規格毎にディレクトリーが存在し、これらのディレクトリー名を、ＤＶＤ−ビデオでは、「ＶＩＤＥＯ_ＴＳ」、ＤＶＤ−オーディオでは、「ＡＵＤＩＯ_ＴＳ」、ＲＴＲ−ＤＶＤでは、「ＤＶＤ_ＲＴＡＶ」としている。図２では、「ＤＶＤ_ＲＴＡＶ」、「ＡＵＤＩＯ_ＴＳ」が示されている。記録データは、各ディレクトリー内に存在する。
【００１３】
また、ＤＶＤでは、通常のファイル形式でデータが保存される。タイトルは、例えば映画の１本分に相当し、１枚のディスクに複数のタイトルが記録可能である。そしてタイトルが集まったものをタイトルセットと呼び、このタイトルセットは、複数のファイルで構成されることになる。
【００１４】
上記のＤＶＤ−ビデオでは、１枚のディスクに、このディスクの情報を管理するための情報が記録されている。この管理情報はファイルとして記録され、ビデオマネージャー（ＶＭＧ）と称する。
【００１５】
さらにこのＤＶＤ−ビデオのタイトルセット（ＶＴＳ）は、このタイトルセットを管理するためのビデオタイトルセット情報（ＶＴＳＩ）が設けられ、このＶＴＳＩと、ビデオデータで構成されるビデオファイルと、さらにＶＴＳＩのバックアップとで構成されている。
【００１６】
一方、ＲＴＲ−ＤＶＤでは、前記ＶＭＧ（ディスクの情報を管理するための情報）とＶＴＳＩ（タイトルセットを管理するための情報）とが、一体化され、新たなビデオマネージャー情報（ＶＭＧＩ）として定義されている。
【００１７】
ディレクトリー「ＤＶＤ_ＲＴＡＶ」内には、ビデオマネージャー（ＶＭＧ）ファイルとしてのＶＲ_ＭＡＮＧＲ．ＩＦＯ、ムービービデオファイルとしてのＶＲ_ＭＯＶＩＥ．ＶＲＯ、スチルピクチャービデオファイルとしてのＶＲ_ＳＴＩＬＬ．ＶＲＯ、スチルピクチャーオーディオファイルとしてのＶＲ_ＡＵＤＩＯ．ＶＲＯ、ビデオマネージャーのバックアップとしてのＶＲ_ＭＡＮＡＧＲ．ＢＵＰの各ファイルが存在する。
【００１８】
また、ディレクトリー「ＡＵＤＩＯ_ＴＳ」内には、オーディオマネージャー情報（ＡＭＧＩ）ファイルとしてのＡＵＤＩＯ_ＴＳ．ＩＦＯ、オーディオマネージャー情報（ＡＭＧＩ）バックアップファイルとしてのＡＵＤＩＯ_ＴＳ．ＢＵＰ、オーディオタイトルセット情報（ＡＴＳＩ）ファイルとしてのＡＴＳ_０１_０．ＩＦＯ、オーディオタイトルセット（ＡＴＳ）オーディオオブジェクトファイルとしてのＡＴＳ_０１_１．ＡＯＢが存在する。
【００１９】
ＶＲ_ＭＡＮＧＲ．ＩＦＯファイルには、ナビゲーションデータが記録されるもので、このナビゲーションデータは、プログラムセット、プログラム、エントリーポイント、プレイリストなどを進行させるためのデータである。
【００２０】
ＶＲ_ＭＯＶＩＥ．ＶＲＯファイルは、ムービービデオオブジェクト（ムービーＶＯＢ）を記録するためのいわゆるムービーＡＶファイルである。
【００２１】
ＶＲ_ＳＴＩＬＬ．ＶＲＯは、スチルピクチャーＶＯＢを記録するためのスチルピクチャーＡＶファイルである。
【００２２】
またＶＲ_ＡＵＤＩＯ．ＶＲＯは、スチルピクチャーに対する付加オーディオストリームを記録するためのスチルピクチャー付加オーディオファイルである。
【００２３】
ＶＲ_ＭＯＶＩＥ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００２４】
ＶＲ_ＡＵＤＩＯ．ＶＲＯは、付加オーディオパートを記録するために用いられるファイルであり、この付加オーディオパートは、アフターレコーディングにより記録されたオーディオストリームを示す。ＶＲ_ＡＵＤＩＯ．ＶＲＯに記録されたオーディオパートは、ＶＲ_ＳＴＩＬＬ．ＶＲＯに記録された幾つかのビデオパートとの組み合せで使用される。
【００２５】
ＶＲ_ＭＡＮＧＲ．ＢＵＰは、ＶＲ_ＭＡＮＧＲ．ＩＦＯのバックアップファイルである。
【００２６】
図３（Ａ）は、上記のムービービデオファイルとしてのＶＲ_ＭＯＶＩＥ．ＶＲＯのファイル構造を示している。
【００２７】
ビデオファイルは、階層構造であり、１つのファイルは、複数のＶＯＢ（ビデオオブジェクト）で構成され、１つのＶＯＢは、複数のＶＯＢＵ（ビデオオブジェクトユニット）で構成され、１つのＶＯＢＵは、複数パックから構成される。複数のパックとしては、ＲＤＩパック、Ｖパック、Ａパック等が存在する。
【００２８】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ３などの方式で処理されたものであり、パックヘッダ、パケットヘッダ、オーディオデータ部で構成される。
【００２９】
図３（Ｂ）は、Ｖパックとの関係によるＭＰＥＧ２方式に基くビデオデータのフォーマットを示している。
【００３０】
グループオブピクチャー（ＧＯＰ）は、複数のビデオフレームが用いられて圧縮された単位であり、その先頭にはシーケンスヘッダが付加されている。シーケンスヘッダには、シーケンスヘッダの開始コード（ＳＨＣ）、画素の縦のライン数（ＨＳ），画素の横のライン数（ＶＳ），アスペクト比（ＰＡＲ）などが記述されている。
【００３１】
図４に示すＲＤＩパックはリアルタイムデータインフォーメーションパック（ＲＤＩ_ＰＣＫ）と称されるもので、リアルタイムジェネラル情報（ＲＤＩ_ＧＩ）、ディスプレイコントロール及びコピーコントロール情報（ＤＣＩ_ＣＣＩ）、製造者情報（ＭＮＦＩ）などを含む。
【００３２】
リアルタイムジェネラル情報（ＲＤＩ_ＧＩ）は、これが属するＶＯＢＵの最初のフィールドが再生される開始時間を示す情報、つまりＶＯＢＵ_Ｓ_ＰＴＭと、当該ＶＯＢＵの記録時を示す情報、つまりＶＯＢＵ_ＲＥＣ_ＴＭとを含む。
【００３３】
ディスプレイコントロール及びコピーコントロール情報（ＤＣＩ_ＣＣＩ）は、ディスプレイコントロール情報（ＤＣＩ）及びコピーコントロール情報（ＣＣＩ）のステータスを示す（ＤＣＩ_ＣＣＩ_ＳＳ）と、ディスプレイコントロール情報（ＤＣＩ）自身と、コピーコントロール情報（ＣＣＩ）自身を含む。
【００３４】
（ＤＣＩ_ＣＣＩ_ＳＳ）のうちディスプレイコントロール情報ステータス（ＤＣＩ_ＳＳ）は、第1のエリアであり、有効なアスペクト比情報のみが存在する場合（０１ｂ）、有効なアスペクト比、サブタイトルモード、フィルムカメラモードが存在する場合（１１ｂ）を識別している。
【００３５】
ディスプレイコントロール情報（ＤＣＩ）は、アスペクト比情報、サブタイトルモード情報、フィルムカメラモードを含む。
【００３６】
アスペクト比情報は、アスペクト比が４：３の場合（０００ｂ）、アスペクト比が１６：９の場合（０００１ｂ）を示している。更にソースピクチャーがレターボックスの場合、１０００ｂ（レターボックス（１４：９）であるがスクリーンセンター配置）、０１００ｂ（レターボックス（１４：９）であるがスクリーントップ配置）、１１０１ｂ（レターボックス（１６：９）であるがスクリーンセンター配置）、００１０ｂ（レターボックス（１６：９）であるがスクリーントップ配置）、１０１０ｂ（レターボックス（＞１６：９）であるがスクリーンセンター配置）、０１１１ｂ（１４：９フルフォーマットでセンター配置）を識別している。
【００３７】
サブタイトルモードは、サブタイトルが開かない（００ｂ）、サブタイトルがアクティブイメージエリア内にある（０１ｂ）、サブタイトルがアクティブイメージエリアの外にある（１０ｂ）を識別している。
【００３８】
フィルムカメラモードは、カメラモード（０ｂ）、フィルムモード（１ｂ）を識別している。
【００３９】
ビデオファイルに記録されたデータ再生順序は、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ_ＰＧＣＩ）、もう１つはユーザーディファインドＰＧＣテーブル（ＵＤ_ＰＧＣＩＴ）である。
【００４０】
ここで、上記プログラムチェーン情報が記述されているビデオマネージャーファイル（ＶＭＧ）の構成について説明する。
【００４１】
図５にはＶＭＧファイルに記述されている情報を階層的に示し、特にプログラムチェーン情報（ＰＧＣＩ）を階層的に詳しく示している。
【００４２】
ＶＭＧファイル内には、ＲＴＲ_ＶＭＧＩ（ＲＴＲビデオマネージャー情報）、Ｍ_ＡＶＦＩＴ（ムービーＡＶファイル情報テーブル）、Ｓ_ＡＶＦＩＴ（スチルピクチャーＡＶファイル情報テーブル）、ＯＲＧ_ＰＧＣＩ（オリジナルプログラムチェーン情報）、ＵＤ_ＰＧＣＩＴ（ユーザー定義プログラムチェーン情報）、ＴＸＴＤＴ_ＭＧ（テキストデータマネージャー）、ＭＮＦＩＴ（マニュファクチャー情報テーブル）がある。
【００４３】
ＯＲＧ_ＰＧＣＩ（オリジナルプログラムチェーン情報）は、記録順にデータを再生するための特別なＰＧＣである。つまりこのＰＧＣは、データの再生順序を指定する情報であり、プログラムのつながりであるプログラムセットを示している。このプログラムセットは、ＶＲＯファイルに格納されているデータである。
【００４４】
ＵＤ_ＰＧＣＩＴ（ユーザー定義プログラムチェーン情報）もデータの再生順序を指定するであるが、ユーザーのプログラム編集などにより、上記ＯＲＧ_ＰＧＣＩにより指定されているプログラムの中の部分的な指定を行いその部分部分をつなげている。したがって、ＵＤ_ＰＧＣＩＴは、まとまったプログラムのつながりではなく、Ｃｅｌｌ（セル）のつながりを示している。セルとは、プログラムの各部分を示す情報である。
【００４５】
ＯＲＧ_ＰＧＣＩ（オリジナルプログラムチェーン情報）、ＵＤ_ＰＧＣＩＴ（ユーザー定義プログラムチェーン情報）も内容的に同様なデータ構造である。
【００４６】
ＰＧＣＩは、ＰＧＣ一般情報（ＰＧＣ_ＧＩ）、ＰＧＣ情報テーブル（ＰＧＣＩＴ）、セル情報サーチポインタ（ＣＩ_ＳＲＰＴ）、セル情報テーブル（ＣＩＴ）で構成される。
【００４７】
ＰＧＣ一般情報（ＰＧＣ_ＧＩ）には、プログラム数（ＵＤ_ＰＧＣでは０）、このＰＧＣ内のセルサーチポインタ数が記述される。
【００４８】
ＰＧＣ情報テーブル（ＰＧＣＩＴ）には、プログラム情報（ＰＧＩ）が記述されるもので、プログラムが消去プロテクトされた状態であるか否かを示すプログラムタイプ（ＰＧ_ＴＹ）、このプログラム内のセルの数（Ｃ_Ｎｓ）、キャラクタセットを示すプライマリーテキスト情報（ＰＲＭ_ＴＥＸＴＩ）、このプログラムに対応するアイテムテキストサーチポインタの番号（ＩＴ_ＴＸＴ_ＳＲＰＮ）、セル番号、ピクチャーポイントを示す代表画像情報（ＲＥＰ_ＰＩＣＴＩ）がある。
【００４９】
セル情報サーチポインタ（ＣＩ_ＳＲＰＴ）には、セル情報（ＣＩ）のスタートアドレスが記述される。セル情報テーブルＣＩＴには、サーチポインタで指定されるセル情報（ＣＩ＃１〜ＣＩ＃ｊ）が記述されている。
【００５０】
セル情報（ＣＩ）は、セル一般情報（Ｃ_ＧＩ）、セルエントリーポイント情報（Ｃ_ＥＰＩ＃１〜Ｃ_ＥＰＩ＃ｋ）が記述されている。セル一般情報は、後述する。セルエントリーポイント情報（Ｃ_ＥＰＩ）は、タイプＡ、タイプＢが存在する。
【００５１】
タイプＡではエントリーポイントタイプ（タイプＡかＢか）の識別、エントリーポイントのプレゼンテーションタイム（ＥＰ_ＰＴＭ）が記述されている。プレゼンテーションタイム（ＥＰ_ＰＴＭ）は、エントリーポイントの再生時間を示している。具体的には、（ＥＰ_ＰＴＭ）は、対応するＶＯＢ内でプレゼンテーションタイムスタンプとして符号化されている、最初のビデオフィールドの再生開始時間、及び最後のビデオフィールドの再生時間を示している。タイプＢではタイプＡの情報に加えて、エントリーポイントにおけるプライマリーテキスト情報が存在する。
【００５２】
上記セル一般情報（Ｃ_ＧＩ）は、セルタイプ（Ｃ_ＴＹ）、当該セルが指定するＶＯＢに対応したＶＯＢＩのサーチポインタの番号（Ｍ_ＶＯＢ_ＳＲＰＮ）を有する。また、セルエントリーポイントの数（Ｃ_ＥＰＩ_Ｎｓ）、セルの再生開始時間（Ｃ_Ｖ_Ｓ_ＰＴＭ）、セルの再生終了時間（Ｃ_Ｖ_Ｅ_ＰＴＭ）を有する。
【００５３】
図６には、同じくＶＭＧファイルに記述されている情報を階層的に示し、特にムービーＡＶファイル情報テーブル（Ｍ_ＡＶＦＩＴ）を階層的に詳しく示している。
【００５４】
上記のＭ_ＡＶＦＩＴには、ムービーＡＶファイル情報テーブル情報（Ｍ_ＡＶＦＩＴＩ）、ムービーＶＯＢストリーム情報（Ｍ_ＶＯＢ_ＳＴＩ＃ｎ）（ｎ＝１〜ｎ），ムービーＡＶファイル情報（Ｍ_ＡＶＦＩ）が記述されている。
【００５５】
ムービーＡＶファイル情報（Ｍ_ＡＶＦＩ）について説明する。
【００５６】
ムービーＡＶファイル情報（Ｍ_ＡＶＦＩ）には、Ｍ_ＡＶＦＩ一般情報（Ｍ_ＡＶＦＩ_ＧＩ）、Ｍ_ＶＯＢ情報サーチポインタ（Ｍ_ＶＯＢＩ_ＳＲＰ＃ｎ）、ムービービデオ情報（Ｍ_ＶＯＢＩ＃ｎ）が記述されている。
【００５７】
Ｍ_ＡＶＦＩ一般情報には、Ｍ_ＶＯＢサーチポインタの数、Ｍ_ＶＯＢ情報の開始アドレスが記述されている。
【００５８】
Ｍ_ＶＯＢ情報＃ｎには、当該Ｍ_ＶＯＢの一般情報（Ｍ_ＶＯＢ_ＧＩ）、シームレス情報（ＳＭＬＩ）、オーディオギャツプ情報（ＡＧＡＰＩ）、タイムマップ情報（ＴＭＡＰＩ）が記述されている。
【００５９】
Ｍ_ＶＯＢ_ＧＩには、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００６０】
またＭ_ＶＯＢ_ＧＩには、このＶＯＢの記録時間、サブで分の時間が記録される。さらにまたこのＭ_ＶＯＢ_ＧＩには、Ｍ_ＶＯＢのストリーム情報番号、このＶＯＢのビデオスタート時間、並びに終了時間、コピープロテクション情報が記述される。
【００６１】
次にムービービデオ情報（Ｍ_ＶＯＢＩ＃ｎ）について説明する。このＭ_ＶＯＢＩ＃ｎは、Ｍ_ＶＯＢＩ_ＳＲＰ＃ｎにより特定される。
【００６２】
ムービービデオ情報（Ｍ_ＶＯＢＩ＃ｎ）には、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００６３】
またＭ_ＶＯＢ_ＧＩには、このＶＯＢの記録時間、サブで分の時間が記録される。さらにまたこのＭ_ＶＯＢ_ＧＩには、Ｍ_ＶＯＢのストリーム情報番号、このＶＯＢのビデオスタート時間、並びに終了時間、コピープロテクション情報が記述される。
【００６４】
次に上記のタイムマップ情報（ＴＭＡＰＩ）について説明する。
【００６５】
ＴＭＡＰＩは、プレゼンテーションタイムをオフセットアドレスに変換するのに利用される。この情報は通常の再生のみならず特殊再生やタイムサーチのためにも活用すべき用意されている。
【００６６】
ＴＭＡＰＩは、タイムマップ一般情報（ＴＭＡＰ_ＧＩ）、タイムマップエントリーテーブル（ＴＭ_ＥＮＴ＃１〜＃ｎ）、このエントリー情報に対応するビデオオブジェクトエントリーテーブル（ＶＯＢＵ_ＥＮＴ＃１〜＃ｎ）で構成される。
【００６７】
各ＴＭ_ＥＮＴは、対応するＶＯＢＵのアドレス情報を含みタイムエントリーにより特定された再生時間とＶＯＢＵの再生開始時間との時間差情報を含む。
【００６８】
各ＶＯＢＵ_ＥＮＴは、各ＶＯＢＵの再生時間及びサイズ情報を含む。ＶＯＢＵのサイズは、論理ブロックにより計測されており、再生時間はビデオフィールドにより計測されている。
【００６９】
ＴＭＡＰ_ＧＩは、タイムエントリー数（ＴＭ_ＥＮＴ_Ｎｓ）、ＶＯＢＵエントリー数（ＶＯＢＵ_ＥＮＴ_Ｎｓ）、タイムオフセット（ＴＭ_ＯＦＳ）、アドレスオフセット（ＡＤＲ_ＯＦＳ）を有する。
【００７０】
ＶＯＢＵ_ＥＮＴについて説明する。
【００７１】
ＶＯＢＵ_ＥＮＴは、このＶＯＢＵの第１の参照画像のアドレスを述べた（１ＳＴＲＥＦ_ＳＺ）と、このＶＯＢＵの再生時間を述べた（ＶＯＢＵ_ＰＢ_ＴＭ）と、このＶＯＢＵのサイズを述べた（ＶＯＢＵ_ＳＺ）で構成される。第1の参照画像は、ＶＯＢＵの先頭からのＩピクチャの最終アドレスであり、ＶＯＢＵ内のビデオを復号するのに最初に必要なデータのアドレスである。ＶＯＢＵの再生時間は、このＶＯＢＵ内のビデオフィールドの数で示されている。またＶＯＢＵのサイズは、このＶＯＢＵ内のパック数で示されている。
【００７２】
上記のＲＴＲ_ＶＭＧＩについて説明する。
【００７３】
このＲＴＲ_ＶＭＧＩは、大きく分けて２つの情報が含まれる。１つはＶＭＧＩ_ＭＡＴ（ビデオマネージャー情報マネジメントテーブル）であり、他の１つは、ＰＬ_ＳＲＰＴ（プレイリストサーチポインターテーブル）である。
【００７４】
ＶＭＧＩ_ＭＡＴには、このＶＭＧを識別するためのＶＭＧ識別子、ＶＭＧの終了位置を示す情報であるＲＴＲ_ＶＭＧ終了アドレス、このＶＭＧ情報の終了位置を示す情報であるＲＴＲ_ＶＭＧＩ終了アドレス、このブックのバージョン番号、このディスクに各種データが記録又は更新されたときの時間を示す情報であるタイムゾーン、スチルピクチャーのためのスチル時間、プライマリーテキストのためのキャラクタセットコード、ディスク再生中に一時停止され、次に再生を行なうのに必要な情報（プログラムチェーン番号など）を記述したレジュームマーク情報、ディスク代表画像を再生するために必要な情報を記述したディスクリプレゼンタティブピクチャー情報、このディスクの代表名を表示するためのキャラクタコードセットによる記述情報であるディスクリプレゼンタティブネームが記述されている。さらに、次に格納されているＭ_ＡＶＦＩＴのスタートアドレス、Ｓ_ＡＶＦＩＴのスタートアドレス、ＯＲＧ_ＰＧＣＩのスタートアドレス、ＵＤ_ＰＧＣＩのスタートアドレス、ＴＸＴＤＴ_ＭＧのスタートアドレス、ＭＮＦＩＴのスタートアドレスが記述されている。
【００７５】
ＰＬ_ＳＲＰＴは、プレイリストサーチポインタの数、及び各プレイリストのサーチポインタが記述されている。プレイリストは、プログラムの部分部分を示すリストであり、ユーザーにより再生順序を指定可能であり、後述するユーザー定義ＰＧＣにより定義されている。プレイリストサーチポインタには、再生される対象がムービー、スチルなどを識別するためのプレイリストタイプ、このポインタに対応するプログラムチェーン番号、プレイリストが作成された時間の各情報、プレイリストのためのプライマリーテキスト情報等が含まれている。
【００７６】
上記のように規格化されているディスクの記録再生装置について、再度図１に戻り説明する。
【００７７】
記録再生装置における再生処理は、ＰＧＣＩに従って行われ、このＰＧＣでは、複数のプログラムを指定することができ、このプログラムにはセルが定義されている。そしてセルにより再生すべき対象となるＶＯＢが指定されることになる。また、記録順に再生するための特別なＰＧＣをオリジナルＰＧＣと称し、このオリジナルＰＧＣの情報はＯＲＧ_ＰＧＣＩとして記録されている。さらに、このときのビデオデータの属性情報（解像度情報、アスペクト情報、音声属性情報など）は、ＶＭＧＩ内のＳＴＩに記録される。また、上記したパックは、データ転送処理を行なう最小単位である。さらに、論理上の処理を行なう最小単位はセル単位で、論理上の処理はこの単位で行わる。したがって、録画が行われるときは、上記のフォーマットに合致する形式に記録信号が変換さえる。
【００７８】
記録再生装置は、ハードディスクドライブ（ＨＤＤ）２００１、ディスクドライブ３５、エンコーダ部５０、デコーダ部６０、及びマイクロコンピュータブロック３０を主たる構成要素としている。ＨＤＤ２００１は、記録媒体としてのハードディスクを回転駆動するとともに、このハードディスクに対して情報を記録したり、このハードディスクに記録された情報を読み出したりする。ディスクドライブ３５は、記録媒体としての光ディスク１００１を回転駆動するとともに、この光ディスク１００１に対して情報を記録したり、この光ディスク１００１に記録された情報を読み出したりする。エンコーダ部５０は、ハードディスク及び光ディスク１００１に対して記録される情報をエンコードする。デコーダ部６０は、ハードディスク及び光ディスク１００１から読み出された情報をデコードする。マイクロコンピュータブロック３０は、記録再生装置全体の制御を司る。例えば、キー入力部４９からの各種操作指示を受け付け、操作指示に対応した制御を行なう。
【００７９】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００８０】
ＡＤＣ５２には、ＡＶ入力部４２からの外部アナログビデオ信号＋外部アナログオーディオ信号、あるいはＴＶ（テレビジョン）チューナ４４からのアナログビデオ信号＋アナログ音声信号が入力される。
【００８１】
ＡＤＣ５２は、入力されたアナログビデオ信号を、例えばサンプリング周波数１３．５ＭＨｚ、量子化ビット数８ビットでディジタル化する。すなわち、輝度成分Ｙ、色差成分Ｃｒ（またはＹ−Ｒ）、及び色差成分Ｃｂ（またはＹ−Ｂ）が、それぞれ８ビットで量子化されることになる。
【００８２】
同様に、ＡＤＣ５２は、入力されたアナログオーディオ信号を、例えばサンプリング周波数４８ｋＨｚ、量子化ビット数１６ビットでディジタル化する。
【００８３】
なお、ＡＤＣ５２にデジタルビデオ信号やデジタルオーディオ信号が入力されるときは、ＡＤＣ５２は、デジタルビデオ信号やデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。
【００８４】
ＡＤＣ５２から出力されたデジタルビデオ信号は、Ｖエンコーダを介してフォーマッタ５６に送られる。また、ＡＤＣ５２から出力されたデジタルオーディオ信号は、Ａエンコーダを介してフォーマッタ５６に送られる。
【００８５】
Ｖエンコーダは、入力されたデジタルビデオ信号を、ＭＰＥＧ２またはＭＰＥＧ１規格に基づいて、可変ビットレートで圧縮されたディジタル信号に変換する機能を持つ。また、Ａエンコーダは、入力されたデジタルオーディオ信号を、ＭＰＥＧまたはＡＣ−３規格に基づいて、固定ビットレートで圧縮されたディジタル信号またはリニアＰＣＭのディジタル信号に変換する機能を持つ。
【００８６】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００８７】
フォーマッタ５６は、バッファメモリ５７をワークエリアとして使用しながら、入力されたビデオ信号、オーディオ信号、副映像信号等に対して所定の信号処理を行なうことにより、先に図３、図４で説明したようなフォーマット（ファイル構造）に合致した記録データをデータプロセッサ３６に出力する。
【００８８】
ここで、本装置は、エンコーダ部５０でエンコードされた情報、及び、作成された管理情報を、データプロセッサ３６を介してＨＤＤ２００１に供給し、ハードディスクに記録することができる。またハードディスクに記録された情報を、データプロセッサ３６、ディスクドライブ３５を介して光ディスク１００１に記録することもできる。さらにまた、エンコーダ部５０でエンコードされた情報、及び、作成された管理情報をデータプロセッサ３６、ディスクドライブ３５を介して、光ディスク１００１に記録することもできる。
【００８９】
また、本発明は、ＨＤＤ２００１のハードディスクに記録されている情報が、光ディスク１００１のデータフォーマットと同じである場合、ハードディスクの情報を光ディスクにエンコード処理無く記録することができる。
【００９０】
また、ＨＤＤ２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
【００９１】
ここで、上記光ディスク１００１への記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータが設定される。
【００９２】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００９３】
エンコード処理された主映像データ、オーディオデータ及び副映像データが組み合わされて、ビデオオブジェクトセットＶＯＢＳの構造に変換される。
【００９４】
すなわち、主映像データ（ビデオデータ）の最小単位としてセルが設定され、図５で説明したようなセル情報が作成される。次に、プログラムチェーンＰＧＣを構成するセルの構成や、主映像、副映像及びオーディオの属性等が設定され（これらの属性情報の一部は、各データをエンコードするときに得られた情報が利用される）、ここに、種々の情報を含めたＶＭＧファイルが作成される。
【００９５】
エンコード処理された主映像データ、オーディオデータ及び副映像データは、一定サイズ（２０４８バイト）のパック（図３）に細分化される。これらのパックには、ダミーパックが適宜挿入される。なお、ダミーパック以外のパック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００９６】
そして、各データのタイムコード順に再生可能なように、ビデオオブジェクトユニットＶＯＢＵ単位でその先頭にＲＤＩパック(ナビゲーションパックに相当)を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルに記録される。
【００９７】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。ただし、ＤＶＤ再生信号をデジタルコピーできるようにＤＶＤビデオレコーダを構成する場合には、電子すかしやその他の著作権保護手段が講じられる必要がある。
【００９８】
光ディスク１００１に対して、情報の読み書き（録画／再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【００９９】
一時記憶部３７は、データプロセッサ３６、ディスクドライブ３５を介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングしたりするのに利用される。ディスクドライブ３５は、光ディスクに対する回転制御系、レーザ駆動系、光学系などを有する。
【０１００】
例えば、一時記憶部３７が４Ｍｂｙｔｅｓの半導体メモリー（ＤＲＡＭ）で構成されるときは、平均４Ｍｂｐｓ（ビット・パー・セカンド）の記録レートでおよそ８秒分の記録または再生データのバッファリングが可能である。また、一時記憶部３７が１６ＭｂｙｔｅｓのＥＥＰ（エレクトリカリー・イレーザブル・アンド・プログラマブル）ＲＯＭ（フラッシュメモリ）で構成されるときは、平均４Ｍｂｐｓの記録レートでおよそ３０秒の記録または再生データのバッファリングが可能である。
【０１０１】
さらに、一時記憶部３７が１００Ｍｂｙｔｅｓの超小型ハードディスクドライブで構成されるときは、平均４Ｍｂｐｓの記録レートで３分以上の記録または再生データのバッファリングが可能となる。
【０１０２】
一時記憶部３７は、録画途中で光ディスク１００１を使い切ってしまった場合において、光ディスク１００１が新しいディスクに交換されるまでの短時間の録画情報を一時記憶しておくことにも利用できる。
【０１０３】
しかし、本装置では、大きな容量を持つＨＤＤ２００１が設けられているので、この装置を活用することができる。
【０１０４】
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【０１０５】
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
【０１０６】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【０１０７】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【０１０８】
また、マイクロコンピュータブロック３０は、システム全体を制御するために必要な情報処理部を有するもので、コピー情報検知・設定部、ディレクトリー検知部、ＶＭＧ管理情報作成部を備える。
【０１０９】
ＭＰＵの実行結果のうち、ディスクドライブ３５のユーザーに通知すべき内容は、ＤＶＤビデオレコーダの表示部４８に表示されるか、またはモニタディスプレイにＯＳＤ（オンスクリーンディスプレイ）表示される。
【０１１０】
なお、マイクロコンピュータブロック３０が、ディスクドライブ３６、データプロセッサ３６、エンコーダ部５０、及びデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【０１１１】
デコーダ部６０は、図３に示したようなパック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ群６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【０１１２】
ビデオプロセッサ６６の出力は、ビデオミクサー７１に入力される。ビデオミクサー７１では、テキストデータの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がディジタル出力の場合は、インターフェース（Ｉ／Ｆ）７３を介して外部へ出力され、アナログ出力の場合は、ＤＡＣ７４を介して外部へ出力される。
【０１１３】
Ａデコーダの出力がディジタル出力の場合は、インターフェース（Ｉ／Ｆ）７５を介して外部へ出力され、アナログ出力の場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
【０１１４】
上記装置において、ビデオ信号の流れを簡単に説明すると、以下のようになる。
【０１１５】
まず、入力されたＡＶ信号はＡＤＣ５２でディジタル変換される。ビデオ信号はＶエンコーダへ、オーディオ信号はＡエンコーダへ、文字放送などの文字データはＳＰエンコーダへ入力される。ビデオ信号はＭＰＥＧ圧縮され、オーディオ信号はＡＣ３圧縮またはＭＰＥＧオーディオ圧縮がなされ、文字データはランレングス圧縮される。
【０１１６】
各エンコーダからの圧縮データは、パック化された場合に２０４８バイトになるようにパケット化されて、フォーマッタ５６へ入力される。フォーマッタ５６では、各パケットがパック化され、さらに、多重化され、データプロセッサ３６へ送られる。
【０１１７】
ここで、フォーマッタ５６は、アスペクト情報検出部４３からの情報を元に、ＲＤＩパックを作成し、ビデオオブジェクトユニット（ＶＯＢＵ）の先頭に配置する。
【０１１８】
データプロセッサ３６は、１６パック毎にＥＣＣブロックを形成し、エラー訂正データを付け、その出力をディスクドライブ３５を介して光ディスク１００１へ記録する。
【０１１９】
ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
【０１２０】
さらに、フォーマッタ５６では、録画中、各切り分け情報を作成し、定期的にマイクロコンピュータブロック３０のＭＰＵへ送る（ＧＯＰ先頭割り込み時などの情報）。
【０１２１】
切り分け情報としては、ＶＯＢＵのパック数、ＶＯＢＵ先頭からのＩピクチャのエンドアドレス、ＶＯＢＵの再生時間などである。
【０１２２】
同時に、アスペクト情報検出部４３からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【０１２３】
また、ＤＶＤ−ＲＡＭでは、ビデオファイルは１ディスクに１ファイルとしている。
【０１２４】
ここで、ＤＶＤを利用した記録再生装置において、注意すべき点は、データをアクセスする場合において、そのアクセス（シーク）している間に、とぎれないで再生を続けるために、最低限連続するセクタが必要になってくる。この単位をＣＤＡ（コンティニュアス・データ・エリア）という。
【０１２５】
このＣＤＡは、ＥＣＣブロック単位となっている方が有利である。そのため、ＣＤＡサイズは１６の倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【０１２６】
本装置は、タイムスリップ（ＴＳ）機能を備えている。このために、ＨＤＤ２００１が有効に活用される。つまり、Ａ／Ｖ入力部あるいはＴＶチューナからオンエアー中の情報を、ＨＤＤ２００１でハードディスクに記録する。この記録を継続しながら、記録済みの情報を読出し、デコードしてモニタすることができる。あるいは、ハードディスクから読出した情報を、光ディスク１００１に記録することが可能である。また記録済みの情報をデコードしてモニタすると同時に、モニタしている情報をハードディスクに記録することも可能である。
【０１２７】
ＨＤＤ２００１は、記録再生装置に内蔵されており、光ディスク１００１は、リムーバブルであり、ユーザーが自由に交換することが可能である。
【０１２８】
上記説明した記録再生装置では、ＤＶＤメディアの記録可能時間が少ないために、異なる形式のメディアとハイブリッド方式で使用される。たとえばコンピュータ用のＨＤＤでは２０ＧＢｙｔｅｓから４０ＧＢｙｔｅｓという大容量のものが一般的である。このようなＨＤＤを用いれば、現在のＶＨＳ方式ＶＴＲ以上の録画可能時間を実現できる。また、この記録再生装置は、先に説明したように、メディアの特徴をいかしたタイムスリップ機能を有している。この機能は、ある映画等の情報を録画しながら既に録画された情報を再生できる機能であり、上記ＶＨＳ方式などのアナログＶＴＲはもとより、Ｄ−ＶＨＳなどのディジタルＶＴＲでも実現できなかったものである。よって、この記録再生装置では、”録画”、”再生”、”タイムスリップ”という３種類の動作状態が存在する。またこのようなハイブリッド方式の記録再生装置では、光ディスク及びハードディスクのうちの、どちらのメディアに録画させれば良いかをユーザーに示すために、メディア残量表示機能を持つ。それと同時に、録画する際のビットレート（記録レート）が重要であり、ビットレートをユーザーにわかりやすく示すために、バーグラフ表示を行う。
【０１２９】
上記説明したＤＶＤ対応の記録再生装置のコントロールには多くのキーが必要となる。しかし、単純にキーを増やしただけでは操作性が落ちる。そこで、この発明のマルチコントローラ（以下説明するリモコン）は、以下のように構成されている。
【０１３０】
図７は、この発明の一例に係るリモコンの概観を示す図である。図７に示すように、リモコンは、第１の操作手段としてカーソルキー１、第２の操作手段としてのダイヤルキー２、及び第３の操作手段としてのレバーキー３などを備えている。図１におけるキー入力部４９が、図７に示すリモコンに相当する。
【０１３１】
カーソルキー１は、複数方向、例えば４方向又は８方向に傾けられる操作に対応して第１の機能を制御する制御信号を発生するとともに、プッシュ操作に対応して第２の機能を制御する制御信号を発生する。ダイヤルキー２は、円弧状の回転操作に対応して第３の機能を制御する制御信号を発生する。例えば、ダイヤルキー２は、図示しないロータリーエンコーダに対応しており、ダイヤルキーの回転操作に対応してロータリーエンコーダにより制御信号が発生されるようになっている。レバーキー３は、前後の移動操作に対応して第４の機能を制御する制御信号を発生するとともに、プッシュ操作に対応して第５の機能を制御する制御信号を発生する。
【０１３２】
カーソルキー１及びダイヤルキー２は、同心円状に配置される。さらに、この同心円の中心から所定距離にレバーキー３が配置される。例えば、カーソルキー１を操作できるように、カーソルキー１に対して右手親指の位置をあわせてリモコンを握ると、握りかえることなく右手親指だけで３種類の操作部を操作することができる。
【０１３３】
ＤＶＤ対応の記録再生装置においては、記録再生動作に対する操作及びＧＵＩ機能に対する操作が発生する。一例として、ＧＵＩ機能に対応して画面表示されたＧＵＩ画面上の操作について説明する。図８及び図９は、ＧＵＩ画面の一例を示す図である。図８は従来のリモコンによるＧＵＩ画面に対する操作を説明するための図であり、図９は本発明に係るリモコンによるＧＵＩ画面に対する操作を説明するための図である。図８及び図９に示すように、ＧＵＩ画面上には複数のフレームが表示されている。
【０１３４】
最初に従来のリモコンによるＧＵＩ画面に対する操作を説明する。従来のリモコン、例えば、フレーム選択キー及び実行キーが設けたれたリモコンを想定する。フレーム選択キーは、押下操作に対応して、順次異なるフレームを選択候補として選出する。実行キーは、押下操作に対応して、フレーム選択キーにより選出された選択候補を決定する。従来のリモコンの場合、目的のフレームに辿り着くまで、多数回のキー操作が必要となることがある。例えば、あるフレーム内の「リスト登録」が選択候補として選出された状態から、次のページのＧＵＩ画面を見たい場合には、フレーム選択キーを４回押下し、「次のページ」のフレームを選択候補として選出した後、実行キーを１回押下しなければならない。つまり、計５回のキー操作が必要となる。
【０１３５】
この問題を解決すべく、この発明のリモコンでは、フレーム移動、フレーム内項目切り替え、ページ移動を夫々独立したキー操作で可能とした。つまり、ＧＵＩモードが実行されている状態では、カーソルキー１がＧＵＩ画面上のフレーム移動操作を制御する。具体的に言うと、カーソルキー１は、複数方向（４方向又は８方向）に傾けられる操作に対応して、順次異なるフレームを選択候補として選出する。また、ＧＵＩモードが実行されている状態では、ダイヤルキーがＧＵＩ画面上のフレーム内の項目選択操作を制御する。具体的に言うと、ダイヤルキー２は、円弧状の回転操作に対応して、フレーム内の項目を選択候補として選出する。例えば、ダイヤルキー２が、時計回り（右回り）に回転されると、フレーム内の項目を上から下に順次選択候補として選出する。逆に、反時計回り（左回り）に回転されると、フレーム内の項目を下から上に順次選択候補として選出する。さらに、ＧＵＩモードが実行されている状態では、レバーキー３がＧＵＩ画面のページ送り操作を制御する。具体的に言うと、レバーキー３は、前後方向の押下操作に対応して、ＧＵＩ画面を前ページ又は次ページに移動させる。
【０１３６】
上記はＧＵＩモードが実行されているときの操作である。次に、記録再生モードが実行されているときの操作について説明する。記録再生モード、特に通常再生状態で、レバーキー３がプッシュ操作されると、画面が一時停止状態になる。この状態でダイヤルキー２が時計回りに回転操作されると画面がコマ送りされ、逆に反時計回りに回転操作されると画面がコマ戻しされる。一時停止状態で、レバーキー３が再びプッシュ操作されると、画面が通常再生状態に戻る。
【０１３７】
通常再生状態で、レバーキー３が一度だけ前方向へ移動操作されると（一度だけ上側に倒されると）画面が早送りされる。さらにもう一度、前方向へ移動操作されると、早送りの速度がアップする。早送りの状態で、レバーキー３がプッシュ操作されると、通常再生状態に戻る。
【０１３８】
通常再生状態で、レバーキー３が一度だけ後方向へ移動操作されると（一度だけ下側に倒されると）画面が早戻しされる。さらにもう一度、後方向へ移動操作されると、早戻しの速度がアップする。早戻しの状態で、レバーキー３がプッシュ操作されると、通常再生状態に戻る。
【０１３９】
上記説明したように、この発明のリモコンを使えば、操作の途中でリモコンを持ちかえることなく、コマ送り、コマ戻し、早送り、高速早送り、早戻し、高速早戻しなどを指示することができる。ＧＵＩの編集画面では、特に効果的である。
【０１４０】
以下、図面を参照しつつ、この発明のリモコンによる各種操作について説明する。
【０１４１】
図１０は、録画予約ＧＵＩ画面に対するリモコン操作を説明するための図である。図１０に示すように、カーソルキー１は、複数方向に傾けられる操作に対応して、予約データ一覧内のフォーカス移動を制御する。ダイヤルキー２は、円弧状の回転操作に対応して、設定項目の項目値選択（サイクリック、右回り／左回りで値が逆順に出現）を制御する。詳細は、図１０に示す通りである。レバーキー３は、前後方向の移動操作に対応して、予約リストのページ切り替えを制御する。
【０１４２】
録画予約ＧＵＩ画面を介して設定された録画開始日時は、ＲＴＲ_ＶＭＧ内の以下の場所に格納される。
【０１４３】
ＲＴＲ_ＶＭＧ-Ｍ_ＡＶＦＩＴ-Ｍ_ＡＶＦＩ-Ｍ_ＶＯＢＩ＃１-Ｍ_ＶＯＢ_ＧＩ
Ｍ_ＶＯＢ_ＧＩの内容は以下の通りである。
【０１４４】
0003906021.tif 000002
【０１４５】
続いて、図１１及び図１２を参照して、録画予約の作成、修正、削除について説明する。
【０１４６】
予約の作成は、以下（１）〜（６）に示す通りである。
【０１４７】
（１）録画予約一覧ＧＵＩには、通常モード、編集モード、延長モードがある。ＧＵＩ起動時には通常モードになっている。通常モード時に一覧の任意項目上で、「Ｅｎｔｅｒ」押下で編集モードに、また「延長」押下で延長モードに移行する。
【０１４８】
（２）通常モードでは、未入力項目も含め、項目単位に自由にフォーカス移動できる（フォーカスのある項目はハイライト）。左右キーによる前行、次行、上下キーによる上下移動が可能。編集モードに入るとその行がロックされ、行全体をハイライトする。行内の左右移動のみ可能となる。
【０１４９】
（３）編集モード時に、ロックされた行の各項目に対して値の入力・変更が可能となる。項目値の入力・変更はダイヤルキー２で行なう。時刻部分に関しては１０キーによる入力も可能。
【０１５０】
（４）編集モード時の「Ｅｎｔｅｒ」押下で、予約データチェックを実行し、問題がなければ登録する。登録後、行ロックは解除され、通常モードに移行する。
【０１５１】
（５）延長モード時には行がロックされ、「延長」キー押下でユーザーが時間を１０分単位でシフトした後、「Ｅｎｔｅｒ」押下で登録する。登録後、行ロックは解除され通常モードに移行する。
【０１５２】
（６）「Ｅｎｔｅｒ」せずに「録るナビ」キー又は他のＧＵＩに遷移する動作が呼ばれた場合、「予約録画を破棄します。はい／いいえ」のアラートを出し、「はい」ならば、破棄してＧＵＩ遷移動作を実行し、「いいえ」ならば、ＧＵＩ遷移動作が呼ばれる前の状態に戻る。
【０１５３】
図１３は、編集ＧＵＩに対するリモコン操作を説明するための図である。
【０１５４】
図１３に示すように、カーソルキー１の上下方向（「↑」「↓」）に傾けられる操作に対応して、現在位置-分割ボタン-サムネイル一覧間のフォーカス移動（サイクリックにフォーカス移動）が制御される。カーソルキー１の左右方向「←」「→」）に傾けられる操作に対応して、表示されているサムネイル間のフォーカス移動によるチャプター選択が制御される。左端のサムネイル上での「←」は前ページの表示、右端サムネイルでの「→」は次のページの表示となる。
【０１５５】
ダイヤルキー２の回転操作に対応して、分割ボタン上にフォーカスがある場合、一時停止時はコマ送り／コマ戻しが制御される。左に２２．５度の回転操作で１コマ戻し、右に２２．５度の回転操作で１コマ送り。
【０１５６】
レバーキー３の前後方向の移動操作に対応して、分割ボタン上にフォーカスがある場合、再生フレームで再生しているタイトルの早送り／早戻しが制御される。チャプターサムネイル上にフォーカスがある場合：サムネイル一覧のページ切り替えが制御される。
【０１５７】
オリジナルＰＧＣだけを扱い、１ＰＧＣ＝１Ｃｅｌｌとして説明する。このＣｅｌｌの先頭からｎ番目に作成されたチャプターの先頭は以下に示すように記録される。
【０１５８】
ＲＴＲ_ＶＭＧ-ＯＲＧ_ＰＧＣＩ-ＣＩ＃１-Ｍ_ＣＩ-Ｍ_Ｃ_ＥＰＩ＃Ｎ
Ｍ_Ｃ_ＥＰＩ＃Ｎは、このＣｅｌｌの先頭を示す。
【０１５９】
Ｍ_Ｃ_ＥＰＩ＃Ｎの内容は、以下の通りである。
【０１６０】
0003906021.tif 000003
上記ＥＰ_ＰＴＭには、上記チャプター作成ＧＵＩで作成されたチャプターの先頭ＰＴＭが書かれる。
【０１６１】
図１４〜図１５は、チャプター作成の基本操作を示す図である。図１４はチャプター作成基本操作のうちの作成を示す図であり、図１５はチャプター作成基本操作のうちの削除を示す図である。
【０１６２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【０１６３】
【発明の効果】
この発明によれば、操作性に優れたマルチコントローラを提供できる。特に、記録再生装置及びＧＵＩ機能に対応し、操作性に優れたマルチコントローラを提供できる。
【図面の簡単な説明】
【図１】ＤＶＤ対応の記録再生装置の一例を示すブロック図である。
【図２】ＤＶＤシステムのディレクトリー構造の一部を示す図である。
【図３】ＤＶＤ規格におけるビデオオブジェクトセット（ＶＯＢＳ）及びＭＰＥＧ規格におけるデータ構造と内容を示す図である。
【図４】ＲＤＩパックのデータ構造を示す図である。
【図５】ＤＶＤ規格におけるＶＭＧの階層構造で特にプログラムチェーンの階層構造を示す図である。
【図６】ＤＶＤ規格におけるＶＭＧの階層構造で特にＡＶファイル情報テーブルの階層構造を示す図である。
【図７】この発明の一例に係るリモコン（マルチコントローラ）の概観を示す図である。
【図８】従来のリモコンによるＧＵＩ画面に対する操作を説明するための図である。
【図９】本発明に係るリモコンによるＧＵＩ画面に対する操作を説明するための図である。
【図１０】録画予約ＧＵＩ画面に対するリモコン操作を説明するための図である。
【図１１】録画予約の作成、修正を説明するための図である。
【図１２】録画予約の削除を説明するための図である。
【図１３】編集ＧＵＩに対するリモコン操作を説明するための図である。
【図１４】チャプター作成基本操作のうちの作成を示す図である。
【図１５】チャプター作成基本操作のうちの削除を示す図である。
【符号の説明】
１…カーソルキー
２…ダイヤルキー
３…レバーキー
３０…マイクロコンピュータブロック
３５…ディスクドライブ
３６…データプロセッサ
３７…一時記憶部
３８…ＳＴＣ
４８…表示部
５０…エンコーダ部
６０…デコーダ部
１００１…光ディスク（ＤＶＤ）
２００１…ハードディスクドライブ（ＨＤＤ）
【図１】
0003906021.tif 000004
【図２】
0003906021.tif 000005
【図３】
0003906021.tif 000006
【図４】
0003906021.tif 000007
【図５】
0003906021.tif 000008
【図６】
0003906021.tif 000009
【図７】
0003906021.tif 000010
【図８】
0003906021.tif 000011
【図９】
0003906021.tif 000012
【図１０】
0003906021.tif 000013
【図１１】
0003906021.tif 000014
【図１２】
0003906021.tif 000015
【図１３】
0003906021.tif 000016
【図１４】
0003906021.tif 000017
【図１５】
0003906021.tif 000018